(57)【要約】【課題】プローブが取替え可能であって、本体がプローブの種類を自動的に認識し判別することにより、１台で各種放射線を測定することができる放射線モニタを提供する。【解決手段】各種の放射線を検出するプローブと、そのプローブに無線又は有線で接続され、前記プローブで測定した放射線量を計数する本体とを備えているものであって、前記本体は前記プローブの種類を自動認識するように構成するようにした。【選択図】  図３
2007101432.tif 000002
【特許請求の範囲】
【請求項１】
各種の放射線を検出するプローブと、そのプローブに無線又は有線で接続され、前記プローブで測定した放射線量を計数する本体とを備えているものであって、
前記本体は前記プローブの種類を自動認識するように構成したことを特徴とする放射線モニタ。
【請求項２】
前記プローブは、α線、β線、γ線又はＸ線を検出するものである請求項１記載の放射線モニタ。
【請求項３】
前記プローブは、プローブの種類ごとに異なるプローブ認識用信号を出力するものである請求項１又は２記載の放射線モニタ。
【請求項４】
前記プローブ認識用信号は、プローブ認識用の電圧である請求項３記載の放射線モニタ。
【請求項５】
請求項１、２、３又は４記載の放射線モニタに用いる本体。
【請求項６】
請求項１、２、３又は４記載の放射線モニタに用いるプローブ。
【発明の詳細な説明】
【技術分野】
【０００１】
この発明は、身の回りに存在する環境放射線をモニタリングする放射線モニタに関するものである。
【背景技術】
【０００２】
人間が生活している環境においては、宇宙や土・岩石等の大地、大気、コンクリートや木材等の建材、更に食物や人体の骨等、自然界のあらゆる物体・物質から一日中、途切れることなく自然放射線が放出されている。自然放射線は、あらゆる方向から飛んできており、大部分は体を通りぬけてしまうが、一部は体に吸収されて消えてしまう。このとき、体は放射線のエネルギーを吸収して、影響を受ける。放射線には、α（アルファ）線、β（ベータ）線、γ（ガンマ）線、Ｘ（エックス）線等、いろいろな種類があり、体にあたえる影響の度合いはそれぞれ異なる。例えば、α線はγ線の２０倍の度合いで人の体に影響する。更に、自然放射線だけでなく、人工的な放射線も人間の生活環境に放射されており、これらの放射線を総称して環境放射線という。
【０００３】
従来の放射線モニタは、放射線検出部を備えているプローブと演算処理や測定結果を表示する本体とは一体になっており、複数種類の放射線を測定するためには、複数台の放射線モニタが必要である。また、プローブと本体とが分離可能なものも存在するが、いずれもプローブと本体とは１対になっており、複数種類の放射線を測定するためにはやはり複数台の放射線モニタが必要である（特許文献１参照）。
【０００４】
【特許文献１】特開２００１−４７５７号公報
【発明の開示】
【発明が解決しようとする課題】
【０００５】
そこで本発明は、プローブが取替え可能であって、本体がプローブの種類を自動的に認識し判別することにより、１台で各種放射線を測定することができる放射線モニタを提供すべく図ったものである。
【課題を解決するための手段】
【０００６】
すなわち本発明に係る放射線モニタは、各種の放射線を検出するプローブと、そのプローブに無線又は有線で接続され、前記プローブで測定した放射線量を計数する本体とを備えているものであって、前記本体は前記プローブの種類を自動認識するように構成したことを特徴とする。
【０００７】
このような構成を有する放射線モニタであれば、本体に接続したプローブの種類を本体が自動的に認識し判別するので、複数種類のプローブを用意し交換して使用することで、１台の放射線モニタで各種の放射線を検出し測定することができる。また、何れかの機器に不具合が生じた場合も、メンテナンスや修理は個別に行えばよく、コストの低減に寄与することができる。なお、本発明に係る放射線モニタは、プローブと本体とが無線で接続されている場合はもちろん、有線で接続されている場合もプローブと本体とは分離可能である。
【０００８】
前記プローブは複数種類用意して適宜交換して使用することができ、例えば、α線、β線、γ線又はＸ線を検出するものが好適に用いられる。
【０００９】
前記本体がプローブの種類を自動認識するには、例えばプローブがプローブの種類ごとに異なるプローブ認識用信号を出力するものであることが好ましい。このようなプローブ認識用信号としては、例えばプローブ認識用の電圧が挙げられる。
【００１０】
このような本発明に係る放射線モニタに用いる本体及びプローブもまた、本発明の１つである。
【発明の効果】
【００１１】
このように本発明によれば、１台の放射線モニタで各種の放射線を検出し測定することができ、メンテナンスや修理が容易で、コストの低減に寄与することができる。
【発明を実施するための最良の形態】
【００１２】
以下、本発明の一実施形態を図面を参照して説明する。
【００１３】
本実施形態に係る放射線モニタ１は、図１に示すように、各種放射線を検出するプローブ２と、そのプローブ２に有線ケーブルＣＬで接続された本体３とを備えたものである。
【００１４】
各部を詳述する。プローブ２は測定目的に応じて、α線測定用プローブ、β線測定用プローブ、γ線測定用プローブ、Ｘ線測定用プローブ等が用意してあり、測定目的に対応するプローブ２を適宜選択し本体３に接続して使用するものである。
【００１５】
プローブ２は、図２及び図３に示すように、各種放射線を検出する放射線検出器２１と、その放射線検出器２１から出力される微弱な信号を増幅する電荷増幅器２２と、電荷増幅器２２から出力される信号を増幅し波形整形する主増幅・波形整形器２３と、更にプローブの種類毎に異なった信号を出力するプローブ認識用信号発生器２４を備えている。
【００１６】
本実施形態におけるプローブ認識用信号発生器２４は、プローブ２の種類に応じて基板上の異なった位置に設けられた信号ピンを、ジャンパピンにより結線しスイッチをオンにし、各プローブ毎に異なった抵抗が生じるようにしている。このため、本体３に備えた電源３７からプローブ認識用信号発生器２４に定電流を流すとプローブの種類ごとに異なった電圧が発生する。
【００１７】
本体３は、図２及び図３に示すように、ハードウェア構成として、放射線計数器３１、Ａ／Ｄ変換器３２、ＣＰＵ３３、記憶装置３４、入力手段３５、表示器３６等を一体的に備えた専用のものである。そしてＣＰＵ３３や必要に応じてその周辺機器が、記憶装置３４に格納したプログラムに基づいて動作することにより、プローブ認識部４１、データ処理部４２及び電圧データ格納部４３としての機能を発揮する。
【００１８】
放射線計数器３１は、プローブ２から出力された電圧パルスをカウントするものである。
【００１９】
プローブ認識部４１は、プローブ認識用信号発生器２４からの出力信号、即ちプローブ認識用信号発生器２４が発した電圧信号を受け取ると、各種類のプローブに対応する電圧データを予め格納している電圧データ格納部４３にアクセスし、本体３に接続したプローブ２の種類を判別し、その結果を信号としてデータ処理部４２に送信するものである。
【００２０】
データ処理部４２は、放射線計数器３１からの出力信号、即ち放射線計数器３１でカウントされた電圧パルスを、プローブ認識部４１で判別されたプローブ２の種類に応じて適宜処理し、その結果を信号として表示器３６に送信するものである。
【００２１】
表示器３６は、データ処理部４２から送信された結果を表示するものである。この際、入力手段３５を操作することにより測定された放射線データを吸収線量（Ｇｙ）や線量当量（Ｓｖ）に換算したものを、一定時間あたりの値や積算値等のさまざまな形式で表示することができる。
【００２２】
このように構成した本実施形態よれば、ジャンパスイッチを用いたプローブ認識用信号発生器２４がプローブ２の種類毎に異なった電圧を発生し、本体３が備えたプローブ認識部４１が各電圧に対応するプローブ２の種類を判別して、判別されたプローブ２の種類に応じたデータ処理を行うことができる。このため、１台の本体３を用い、接続するプローブ２の種類を変えることにより、各種の放射線の測定を行うことができる。また、本体３又はプローブ２に不具合が生じた場合は、メンテナンスや修理は個別に行えばよく、本体３に搭載したプロブラムを更新する場合も、本体３のみを交換すればよいため、コストの低減に寄与することができる。
【００２３】
なお、本発明は前記実施形態に限られるものではない。例えば、プローブ２と本体３とは無線により接続されていてもよい。
【００２４】
プローブ認識用信号発生器２４は、プローブ２の種類に応じて異なる信号を出力するものであればよく、ジャンパスイッチを用いたものに限定されない。
【００２５】
また、プローブ２はプローブ認識用信号発生器２４を有しておらず、本体３にプローブ２の種類に応じた切換えスイッチが備わっていて、このスイッチを切り替えることにより、各プローブ２に対応したデータ処理が行われるよう動作するものであってもよい。
【００２６】
更に、本体３は出力端子を備え、外部のモニターや情報処理装置等に接続可能なものであってもよい。例えば測定対象場所の放射線濃度が高く測定者が長時間滞在するのが困難である場合、本発明に係る放射線モニタ１を測定対象場所に設置して、それを無線又はケーブルで離れた場所にあるコンピュータと接続し放射線モニタ１を遠隔操作してもよい。
【００２７】
また、本体３が測定データ格納部を有しており、測定した放射線データを一旦測定データ格納部に格納し、適宜編集等してもよい。
【００２８】
その他、本発明は、その趣旨を逸脱しない範囲で種々の変形が可能であることは言うまでもない。
【産業上の利用可能性】
【００２９】
本発明によれば、１台で各種の環境放射線を測定することができる放射線モニタを提供することが可能である。
【図面の簡単な説明】
【００３０】
【図１】本発明の一実施形態に係る放射線モニタを示す全体構成図。
【図２】同実施形態における放射線モニタのハードウェア構成を示すハードウェア構成図。
【図３】同実施形態における放射線モニタの機能ブロック図。
【符号の説明】
【００３１】
１・・・放射線モニタ
２・・・プローブ
３・・・本体
３１・・・放射線計数器
【図１】
2007101432.tif 000003
【図２】
2007101432.tif 000004
【図３】
2007101432.tif 000005